(57)【要約】【課題】シンク長の異なるデジタル情報間のギャップを等価的に長くできるようにすると共に、誤り訂正処理をする際に必要なシンク長の異なるデジタル情報間の信号処理スペースを十分に確保できるようにする。【解決手段】所定のクロック周波数の信号に基づいて磁気テープ８０から第１及び第２のシンク長のデジタル情報を順次読み取るヘリカル再生ヘッド５５と、このヘリカル再生ヘッド５５によって順次読み取られたデジタル情報を信号処理する信号処理手段５と、この信号処理手段５により信号処理されたデジタル情報のクロック周波数をｎ倍に変換するクロック載せ換え器９０と、このクロック載せ換え器９０によりｎ倍に変換されたクロック周波数の第１及び第２のシンク長のデジタル情報を順次誤り訂正処理する訂正処理手段８とを備えるものである。【選択図】        図１
2004310861.tif 000002
【特許請求の範囲】
【請求項１】
２種類の情報記録長が存在する記録フォーマットを有した情報記録媒体からデジタル情報を再生する装置であって、
所定のクロック周波数の信号に基づいて前記情報記録媒体から第１及び第２の情報記録長のデジタル情報を順次読み取る情報読取手段と、
前記情報読取手段によって順次読み取られたデジタル情報を信号処理する信号処理手段と、
前記信号処理手段により信号処理された前記デジタル情報のクロック周波数をｎ倍に変換する信号変換手段と、
前記信号変換手段によりｎ倍に変換された前記クロック周波数の第１及び第２の情報記録長のデジタル情報を順次誤り訂正処理する訂正処理手段とを備えることを特徴とする情報再生装置。
【請求項２】
前記情報記録媒体の記録フォーマットにおいて、
前記第１の情報記録長のデジタル情報と第２の情報記録長のデジタル情報との間にギャップが設けられ、かつ、当該デジタル情報の前記第１の情報記録長よりも第２の情報記録長が短い場合であって、
前記デジタル情報の第２の情報記録長をＮとし、
変換前の前記クロック周波数における第１の情報記録長のデジタル情報と第２の情報記録長のデジタル情報との間のギャップをＧとし、
変換後の前記クロック周波数における第１の情報記録長のデジタル情報と第２の情報記録長のデジタル情報との間のギャップをＧ’としたとき、
Ｇ’＝ｎ・Ｇ＋（ｎ−１）・Ｎ
により与えられることを特徴とする請求項１に記載の情報再生装置。
【請求項３】
２種類の情報記録長が存在する記録フォーマットを有した情報記録媒体からデジタル情報を再生する方法であって、
所定のクロック周波数の信号に基づいて前記情報記録媒体から第１及び第２の情報記録長のデジタル情報を順次読み取って信号処理をし、
信号処理された前記デジタル情報のクロック周波数をｎ倍に変換し、
ｎ倍に変換された前記クロック周波数の第１及び第２の情報記録長のデジタル情報を順次誤り訂正処理をすることを特徴とする情報再生方法。
【請求項４】
前記情報記録媒体の記録フォーマットにおいて、
前記第１の情報記録長のデジタル情報と第２の情報記録長のデジタル情報との間にギャップが設けられ、かつ、当該デジタル情報の前記第１の情報記録長よりも第２の情報記録長が短い場合であって、
前記デジタル情報の第２の情報記録長をＮとし、
変換前の前記クロック周波数における第１の情報記録長のデジタル情報と第２の情報記録長のデジタル情報との間のギャップをＧとし、
変換後の前記クロック周波数における第１の情報記録長のデジタル情報と第２の情報記録長のデジタル情報との間のギャップをＧ’としたとき、
Ｇ’＝ｎ・Ｇ＋（ｎ−１）・Ｎ
により与えられることを特徴とする請求項３に記載の情報再生方法。
【発明の詳細な説明】
【０００１】
【発明の属する技術分野】
本発明は、テープ記録媒体からデジタル情報を再生する家庭用及び業務用のビデオ記録再生装置に適用して好適な情報再生装置及び情報再生方法に関する。
【０００２】
詳しくは、２種類の情報記録長が存在する記録フォーマットを有した情報記録媒体からデジタル情報を再生する場合に情報記録媒体から順次読み取られた第１及び第２の情報記録長のデジタル情報のクロック周波数をｎ倍に変換する信号変換手段を備えて、第１の情報記録長のデジタル情報と第２の情報記録長のデジタル情報との間のギャップを等価的に長くできるようにすると共に、Ｃ１訂正処理等の誤り訂正処理をする際に必要な第１の情報記録長のデジタル情報と第２の情報記録長のデジタル情報との間の信号処理スペースを十分に確保できるようにしたものである。
【０００３】
【従来の技術】
近年、家庭用及び業務用としてテープ記録媒体からビデオデータ及びオーディオデータ等のデジタル情報を再生するビデオ再生装置が使用される場合が多い。この種のビデオ再生装置には、磁気テープを巻回したカセットが装着される。この磁気テープに記録されたビデオデータ及びオーディオデータは、８個の再生用の磁気ヘッド（以下再生ヘッドという）により再生される。磁気テープには所定の記録フォーマット（以下、ＶＴＲフォーマットという）によりビデオデータ及びオーディオデータが記録される。
【０００４】
図１０は従来例に係るビデオシンク（Ｍ）及びオーディオシンク（Ｎ）混在のＶＴＲフットプリント例を示す図である。図１１Ａ及びＢはビデオデータやオーディオデータ等の積符号に係るＥＣＣブロックの１シンクブロックの構成例を示す図である。
【０００５】
図１０に示す従来方式のＶＴＲフットプリント（ＥＣＣ構成およびデータ記録形式）は、図示しないヘリカル記録ヘッドによって記録されるフォーマットである。図１０に示すフットプリントの１２トラックにおいて、磁気テープ８０の上方には、ビデオシンク（ｓｙｎｃ：（Ｍ））が配置され、このビデオシンク（Ｍ）には、テーブル「０」〜テーブル「３５」までの、３６個のＥＣＣブロック（符号化単位のデータ）が記録される。
【０００６】
また、図１０に示す磁気テープ８０の下方にはビデオシンク（Ｍ）が配置され、このビデオシンク（Ｍ）には、テーブル「０」〜テーブル「３５」までの、３６個のＥＣＣブロック（符号化単位のデータ）が記録される。上下の各々のビデオシンク（Ｍ）の大きさは１２トラック×１８９バイトである。この上下のビデオシンク（Ｍ）の間にはオーディオシンク（Ｎ）が配置され、オーディオデータＤａが記録される。オーディオシンク（Ｎ）は、８つに区分され、１区分の大きさは４バイト×１２トラックである。
【０００７】
ここで下方のビデオシンク（Ｍ）側から、上方のビデオシンク（Ｍ）側へ記録ヘッドを走査するものとすると、第１区分にはオーディオデータＡ１，Ａ９，Ａ５が配置され、第２区分にはオーディオデータＡ２，Ａ１０，Ａ６が配置され、第３区分にはオーディオデータＡ３，Ａ１１，Ａ７が配置され、第４区分にはオーディオデータＡ４，Ａ１２，Ａ８が配置され、第５区分にはオーディオデータＡ５，Ａ１，Ａ９が配置され、第６区分にはオーディオデータＡ６，Ａ２，Ａ１０が配置され、第７区分にはオーディオデータＡ７，Ａ３，Ａ１１が配置され、第８区分にはオーディオデータＡ８，Ａ４，Ａ１２が各々配置される。
【０００８】
また、上方のビデオシンク（Ｍ）と第８区分目のオーディオシンク（Ｎ）との間にはギャップＧａｖが配置される。各区分のオーディオシンク間にはギャップＧａａが配置される。第４区分目のオーディオシンク（Ｎ）と第５区分目のオーディオシンク（Ｎ）との間にはサーボパイロット（サーボ制御信号：ＣＴＬ信号）が配置されている。このサーボパイロットと第４区分目のオーディオシンク（Ｎ）や、第５区分目のオーディオシンク（Ｎ）との間にはギャップＧｓ１、Ｇｓ２が配置されている。下方のビデオシンク（Ｍ）とサーボパイロットと間にはギャップＧｓａが配置され、この第１区分目のオーディオシンク（Ｎ）と下方のビデオシンク（Ｍ）との間にはギャップＧｖａが配置される。再生時に信号処理スペースを確保するためである。
【０００９】
図１１Ａ及びＢはビデオデータ及びオーディオデータの積符号に係るＥＣＣブロックの１シンクブロックの構成例を示す図である。図１１Ａに示す２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ：ＯＵＴＥＲ）が生成される。
【００１０】
さらに、これらビデオデータおよびＣ２パリティに対して、図１１Ａに示す矢印ａで示す内符号演算データ系列につき、各行のデータ（データ列）が例えば（２４２，２２６）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００１１】
図１１Ａに示す先頭の２バイトはシンクデータである。続く、２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。また、１２トラック毎に１セグメントが構成され、「０〜３」のセグメント番号が順次繰り返し付与されるが、上述の２バイトのＩＤには、当該１シンクブロックが記録されるセグメントのセグメント番号を示すセグメントＩＤも含まれる。また、このＩＤに、２２６バイトのビデオデータ（またはＣ２パリティ）および１６バイトのＣ１パリティが続く。
【００１２】
図１１ＢはオーディオデータＤａの積符号の構成例を示す図である。図１０に示したＶＴＲフットプリントのオーディオシンク（Ｎ）には、テーブル「０」〜テーブル「２３」までの、２４個のＥＣＣブロック（符号化単位のデータ）が記録される。１個のＥＣＣブロックは、以下のように構成されている。すなわち、１８９バイト×８バイトのデータ配列からなるオーディオデータに対して、矢印ｂで示す外符号演算データ系列につき、各列のデータ（データ列）が例えば（１６，８）リードソロモン符号によって符号化され、８バイトのＣ２パリティ（外符号パリティ：ＯＵＴＥＲ）が生成される。
【００１３】
さらに、これらオーディオデータおよびＣ２パリティに対して、図１１Ｂに示す矢印ａで示す内符号演算データ系列につき、各行のデータ（データ列）が例えば（２０５，１８９）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００１４】
ところで、上述したような２種類のシンク長が存在するＶＴＲフォーマットにおいては、エディットギャップとは別に、Ｃ１訂正処理を行う際に必要なビデオシンク（Ｍ）−オーディオシンク（Ｎ）間に、信号処理用のスペースを空ける必要がある。この原理を図１２に示している。図１２Ａ及びＢは、Ｃ１訂正器のＭＮ切換え例を示すタイミングチャートである。
【００１５】
一般に、Ｃ１訂正処理にはシンク長に応じたディレーが必要となる。これはシンク長とそのＣ１パリティの長さに係数を掛けた形で表すことができる。実際には、Ｃ１訂正回路によってこの係数は異なるが、図１２Ａ及びＢに示す例ではシンク長とパリティに対する係数を両方を「２」としている。
【００１６】
図１２Ａは、ビデオシンク（Ｍ）からオーディオシンク（Ｎ）へ移行する部分のギャップＧｖａが十分長い場合である。ギャップＧｖａはビデオシンク（Ｍ）とオーディオシンク（Ｎ）との間に設定されたものである。ここでシンク長Ｍに対するＣ１訂正処理のディレーをＰ１とし、シンク長Ｎに対するＣ１訂正処理のディレーをＰ２とする。
【００１７】
このシンク長Ｎに対するＣ１訂正処理のディレーＰ２は、ビデオシンク（Ｍ）に対するものより短いが、ギャップＧｖａが十分長いためＣ１訂正回路の出力で、ビデオシンク（Ｍ）とオーディオシンク（Ｎ）がぶつかることはない。つまり、ビデオシンク（Ｍ）に係るＣ１訂正処理に（Ｍ＋Ｐ１）×２の処理時間を費やしても、ギャップＧｖａが十分長く設定されているため、ビデオシンク（Ｍ）に続いてオーディオシンク（Ｎ）がＣ１訂正器に入力された時点から、（Ｍ＋Ｐ２）×２の経過時間後にオーディオシンク（Ｎ）に係るＣ１訂正処理を行うことができる。
【００１８】
図１２Ｂは、ビデオシンク（Ｍ）からオーディオシンク（Ｎ）へ移行する部分のギャップＧｖａ’がＧｖａに比べて短い場合である。ギャップＧｖａ’はビデオシンク（Ｍ）とオーディオシンク（Ｎ）との間に設定されたものである。このシンク長Ｎに対するＣ１訂正処理のディレーＰ２は、ビデオシンク（Ｍ）に対するものより短く、ギャップＧｖａ’が十分ではないため、Ｃ１訂正回路の出力で、ビデオシンク（Ｍ）とオーディオシンク（Ｎ）がぶつかっている。
【００１９】
なお、特許文献１には携帯用カメラ一体型デジタルビデオテープレコーダが開示されている。このビデオテープレコーダによれば、ビデオカメラで撮像した映像信号を帯域制限手段により帯域制限をし、その後、ビットレートリダクションエンコーダ回路により帯域圧縮処理した信号をテープ記録媒体に記録するようになされる。このように構成すると、ビデオテープレコーダの小型軽量化を図れると共に、消費電力の低減化を図ることができる。
【００２０】
【特許文献１】
特開平９−２４７７０９号公報（第２頁〜第４頁、図１）
【００２１】
【発明が解決しようとする課題】
ところで、従来方式のＶＴＲフットプリントによれば、次のような問題がある。
▲１▼  図１０に示した磁気テープ８０の記録トラックの真ん中にサーボパイロットが配置され、この前後に均等にオーディオシンク（Ｎ）が配置され、さらに、この前後に均等にビデオシンク（Ｍ）が配置されている。従って、磁気テープ８０で限られた有効トラック長に対して、波長を短くする要因となる。
【００２２】
▲２▼  また、図１２Ｂに示したビデオシンク（Ｍ）からオーディオシンク（Ｎ）へ移行する部分、つまり、（Ｍ＋Ｐ１）×２の処理時間を費やしてビデオシンク（Ｍ）に係るＣ１訂正処理を行われるが、ギャップＧｖａ’が十分長く設定されていないため、ビデオシンク（Ｍ）に続いてオーディオシンク（Ｎ）がＣ１訂正器に入力された時点から、（Ｍ＋Ｐ２）×２の経過時間後にオーディオシンク（Ｎ）に係るＣ１訂正処理を行われてしまい、ビデオシンク（Ｍ）の後ろがオーディオシンク（Ｎ）に追い越されてデータが壊れてしまう。
【００２３】
▲３▼  特許文献１によれば、ビデオカメラで撮像した映像信号を帯域制限した後に、ビットレートリダクションエンコーダ回路により帯域圧縮処理した信号をテープ記録媒体に記録するようになされる。しかしながら、２種類のシンク長が存在するＶＴＲフォーマットを有した磁気テープからデジタル情報を再生しようとする場合であって、特許文献１の携帯用カメラ一体型デジタルビデオテープレコーダの機能をそのまま適用した場合に、▲１▼及び▲２▼の場合と同じような問題が生ずる。
【００２４】
そこで、この発明はこのような従来の課題を解決したものであって、情報記録長の異なるデジタル情報間のギャップを等価的に長くできるようにすると共に、誤り訂正処理をする際に必要な情報記録長の異なるデジタル情報間の信号処理スペースを十分に確保できるようにした情報再生装置及び情報再生方法を提供することを目的とする。
【００２５】
【課題を解決するための手段】
上述した課題は、２種類の情報記録長が存在する記録フォーマットを有した情報記録媒体からデジタル情報を再生する装置であって、所定のクロック周波数の信号に基づいて情報記録媒体から第１及び第２の情報記録長のデジタル情報を順次読み取る情報読取手段と、この情報読取手段によって順次読み取られたデジタル情報を信号処理する信号処理手段と、この信号処理手段により信号処理されたデジタル情報のクロック周波数をｎ倍に変換する信号変換手段と、この信号変換手段によりｎ倍に変換されたクロック周波数の第１及び第２の情報記録長のデジタル情報を順次誤り訂正処理する訂正処理手段とを備えることを特徴とする情報再生装置によって解決される。
【００２６】
本発明に係る情報再生装置によれば、２種類の情報記録長が存在する記録フォーマットを有した情報記録媒体からデジタル情報を再生する場合に、情報読取手段では、所定のクロック周波数の信号に基づいて情報記録媒体から第１及び第２の情報記録長のデジタル情報が順次読み取られる。信号処理手段では、情報読取手段によって順次読み取られたデジタル情報が例えば、復号化や、同期信号検出等の信号処理に供される。これを前提にして、信号変換手段では信号処理手段により信号処理されたデジタル情報のクロック周波数がｎ倍に変換される。訂正処理手段では、信号変換手段によりｎ倍に変換されたクロック周波数の第１及び第２の情報記録長のデジタル情報が順次誤り訂正処理される。
【００２７】
従って、この誤り訂正処理の際に、第１の情報記録長のデジタル情報と第２の情報記録長のデジタル情報との間のギャップを等価的に長くすることができる。例えば、情報記録媒体の記録フォーマットにおいて、第１の情報記録長のデジタル情報と第２の情報記録長のデジタル情報との間にギャップが設けられ、かつ、当該デジタル情報の第１の情報記録長よりも第２の情報記録長が短い場合であって、デジタル情報の第２の情報記録長をＮとし、この変換前のクロック周波数における第１の情報記録長のデジタル情報と第２の情報記録長のデジタル情報との間のギャップをＧとし、変換後のクロック周波数における第１の情報記録長のデジタル情報と第２の情報記録長のデジタル情報との間のギャップをＧ’としたとき、
Ｇ’＝ｎ・Ｇ＋（ｎ−１）・Ｎ
により与えられる。
【００２８】
このように、情報記録媒体の記録フォーマット（フットプリント）において、実際には短いギャップであっても、Ｃ１訂正処理等の誤り訂正処理をする際に必要な第１の情報記録長のデジタル情報と第２の情報記録長のデジタル情報との間の信号処理スペースを十分に確保することができる。従って、第１の情報記録長のデジタル情報の誤り訂正処理が終了する前に、第２の情報記録長のデジタル情報の誤り訂正処理が開始される事態を防止できる。
【００２９】
本発明に係る情報再生方法は、２種類の情報記録長が存在する記録フォーマットを有した情報記録媒体からデジタル情報を再生する方法であって、所定のクロック周波数の信号に基づいて情報記録媒体から第１及び第２の情報記録長のデジタル情報を順次読み取って信号処理をし、ここで信号処理されたデジタル情報のクロック周波数をｎ倍に変換し、このｎ倍に変換されたクロック周波数の第１及び第２の情報記録長のデジタル情報を順次誤り訂正処理をすることを特徴とするものである。
【００３０】
本発明に係る情報再生方法によれば、２種類の情報記録長が存在する記録フォーマットを有した情報記録媒体からデジタル情報を再生する場合に、誤り訂正処理の際に、第１の情報記録長のデジタル情報と第２の情報記録長のデジタル情報との間のギャップを等価的に長くすることができる。
【００３１】
従って、情報記録媒体の記録フォーマット（フットプリント）において、実際には短いギャップであっても、Ｃ１訂正処理等の誤り訂正処理をする際に必要な第１の情報記録長のデジタル情報と第２の情報記録長のデジタル情報との間の信号処理スペースを十分に確保することができる。
【００３２】
【発明の実施の形態】
続いて、この発明に係る情報再生装置及び情報再生方法の一実施の形態について、図面を参照しながら説明をする。
図１は、本発明に係る実施形態としての情報再生装置を応用したＶＴＲ１００の構成例を示すブロック図である。
この実施形態では、２種類の情報記録長が存在する記録フォーマットを有した情報記録媒体からデジタル情報を再生する場合に情報記録媒体から順次読み取られた第１及び第２の情報記録長のデジタル情報のクロック周波数をｎ倍に変換する信号変換手段を備えて、第１の情報記録長のデジタル情報と第２の情報記録長のデジタル情報との間のギャップを等価的に長くできるようにすると共に、Ｃ１訂正処理等の誤り訂正処理をする際に必要な第１の情報記録長のデジタル情報と第２の情報記録長のデジタル情報との間の信号処理スペースを十分に確保できるようにしたものである。
【００３３】
図１に示すビデオテープレコーダ（以下ＶＴＲという）１００は、情報再生装置の一例であり、２種類の情報記録長（以下シンク長という）が存在する記録フォーマットを有した磁気テープ（情報記録媒体）８０からデジタル情報を再生する装置である。この例でデジタル情報には、ビデオデータ及びオーディオデータが含まれる。ビデオデータは第１のシンク長Ｍを有しており、オーディオデータが第２のシンク長Ｎを有している。以下で第１のシンク長をビデオシンク（Ｍ）といい、第２のシンク長をオーディオシンク（Ｎ）というように記述する。
【００３４】
このＶＴＲ１００の記録系は、ビデオ圧縮回路１１、パリティ付加回路２１、記録回路４０、ヘリカル記録ヘッド５０、ビデオ入力端子１１０及びオーディオ入力端子１３０を有している。このビデオ入力端子１１０にはビデオ圧縮回路１１が接続され、ビデオカメラ等からの記録ビデオ信号ＶＳｉｎを入力して圧縮するようになされる。例えば、ビデオ圧縮回路１１では記録ビデオ信号ＶＳｉｎが８×８画素の二次元ブロックに分割され、ＤＣＴ等のブロック符号化を用いたデータ圧縮処理が行われる。この例で、圧縮後のビデオデータを圧縮符号化データともいう。
【００３５】
このビデオ圧縮回路１１にはパリティ付加回路２１が接続され、圧縮後のビデオデータ及び、オーディオ入力端子１３０から入力される記録オーディオ信号ＡＳｉｎを入力し、この圧縮符号化データに対して、符号化単位毎に積符号を用いたエラー訂正符号化処理が行われると共に、記録オーディオ信号ＡＳｉｎに積符号を用いたエラー訂正符号化処理が行われる。
【００３６】
パリティ付加回路２１には記録回路４０が接続され、エラー訂正符号化処理後のビデオデータ（エラー訂正符号化データ）ＶＤｂを増幅する。この増幅後のエラー訂正符号化データＶＤｂはヘリカル記録ヘッド５０に出力される。ヘリカル記録ヘッド５０はエラー訂正符号化データＶＤｂを磁気テープ８０の記録トラックに順次記録するようになされる。図示しないがデジタル情報の再生時の基準となるサーボ制御信号（以下ＣＴＬ信号という）が磁気テープ８０に記録するようになされる。
【００３７】
また、図１に示すＶＴＲ１００の再生系は、信号処理手段５、訂正処理手段８、ビデオ出力端子１９、ヘリカル再生ヘッド５５、クロック載せ換え器９０及びビデオ伸長回路９１を有している。
【００３８】
ヘリカル再生ヘッド５５は情報読取手段の一例であり、所定のクロック周波数の信号に基づいて磁気テープ８０の記録トラックから第１のシンク長の再生ビデオデータ＋第２のシンク長のオーディオデータＶＤｃを順次読み取るようになされる。
【００３９】
ヘリカル再生ヘッド５５には信号処理手段５が接続される。信号処理手段５は例えば、等化復号器５６及びシンク検出器５７を有しており、ヘリカル再生ヘッド５５によって順次読み取られたデジタル情報を信号処理するようになされる。この等化復号回路５６は図示しないが、再生アンプ、波形等化回路及び復号回路から構成される。
【００４０】
このＶＴＲ１００において、記録トラックから再生された第１のシンク長のビデオデータ＋第２のシンク長のオーディオデータ（以下単に再生データともいう）ＶＤｃは、再生アンプにより増幅される。その後、再生データＶＤｃは波形等化回路で波形等化される。更に、復号回路では波形等化後の再生信号に対して、例えばビタビアルゴリズムを利用した復号化の処理が行われ、上述した記録系のパリティ付加回路２１から出力される記録ビデオデータＶＤｂに対応した再生データＶＤｃが得られる。
【００４１】
この等化復号器５６にはシンク検出器５７が接続され、再生ビデオデータＶＤｃから同期信号を検出するようになされる。シンク検出器５７にはクロック載せ換え器９０が接続される。クロック載せ換え器９０は信号変換手段の一例であり、等化復号器５６及びシンク検出器５７により信号処理された再生データＶＤｃのクロック周波数をｎ倍に変換するようになされる。クロック載せ換え器９０では、再生データＶＤｃがより高い周波数のクロック信号に載せ換えられる。例えば、クロック周波数＝５６ＭＨｚを２倍の周波数の１１２ＭＨｚに変換される。
【００４２】
また、クロック載せ換え器９０には訂正処理手段８が接続される。訂正処理手段８は例えば、Ｃ１訂正回路８１及びＣ２訂正回路８２を有しており、クロック載せ換え器９０によりｎ倍に変換されたクロック周波数の第１のシンク長のビデオデータと、第２のシンク長のオーディオデータを順次誤り訂正処理するようになされる。
【００４３】
Ｃ１訂正回路８１では当該フレームのビデオデータ＋オーディオデータＶＤｃに付加されているＣ１パリティを用いてエラー訂正処理が行われる。エラー訂正処理はクロック周波数＝１１２ＭＨｚに載せ換えられたビデオデータ＋オーディオデータＶＤｃに対して行われる。Ｃ２訂正回路８２では、当該フレームのビデオデータ＋オーディオデータＶＤｃに付加されているＣ２パリティを用いてエラー訂正が行われる。エラー訂正後の圧縮符号化データにはビデオデータＤｖ及びオーディオデータＤａが含まれ、オーディオデータＤａは再生オーディオ信号ＡＳｏｕｔとなる。再生オーディオ信号ＡＳｏｕｔはオーディオ出力端子１８に出力される。
【００４４】
Ｃ２訂正回路８２にはビデオ伸長回路９１が接続され、このＣ２訂正回路８２より出力されるエラー訂正後のビデオデータ（圧縮符号化データ）Ｄｖが記録系のビデオ圧縮回路１１とは逆の処理によってデータ伸長が行われる。そして、このビデオ伸長回路９１より出力される再生ビデオ信号ＶＳｏｕｔは出力端子１９に出力される。なお、図示しないが磁気テープ８０の記録トラックのサーボパイロットからサーボ制御信号（ＣＴＬ信号）が再生される。このＣＴＬ信号に基づいてキャプスタンドラムを駆動するようになされる。
【００４５】
図２は、図１に示したＶＴＲ１００に係る回転ドラム１４０の構成例を示す概念図である。図２に示す回転ドラム１４０には、ヘリカル記録ヘッド（磁気ヘッド）５０及び後述するヘリカル再生ヘッド５５が装備される。例えば、回転ドラム１４０には、１８０度の巻き付け角度をもって、磁気テープ８０が斜めに巻き付けられる。磁気テープ８０は、回転ドラム１４０にこのように巻き付けられた状態で、所定速度で走行するようにされる。
【００４６】
また、回転ドラム１４０には、４個の記録ヘッドＲＥＣＡ〜ＲＥＣＤが配置されていると共に、これら４個の記録ヘッドＲＥＣＡ〜ＲＥＣＤに対して１８０度の角間隔をもって４個の記録ヘッドＲＥＣＥ〜ＲＥＣＨが配置されている。さらに、回転ドラム１４０には、記録ヘッドＲＥＣＡ〜ＲＥＣＨに対応する８個の再生ヘッドＰＢＡ〜ＰＢＨが、記録ヘッドＲＥＣＡ〜ＲＥＣＨに対してそれぞれ９０度の角間隔をもって配置されている。つまり、ヘリカル記録ヘッド５０は８個の記録ヘッドＲＥＣＡ〜ＲＥＣＨから構成され、ヘリカル再生ヘッド５５は８個の再生ヘッドＰＢＡ〜ＰＢＨから構成される。
【００４７】
図３は、磁気テープ８０における記録フォーマット例を示す図である。図３に示す磁気テープ８０には、その長手方向に対して傾斜したトラックＴが順次形成される。この場合、互いに隣接する２本のトラックＴにおける記録アジマスは異なるようにされる。トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、上述したパリティ付加回路２１より出力されるビデオデータＤｖが記録される。また、トラックＴのビデオ領域ＡＲＶＬ，ＡＲＶＵに挟まれた領域は、オーディオデータ領域ＡＲＡに割り当てられている。この領域ＡＲＡにはオーディオデータＤａが記録される。
【００４８】
図４はビデオデータＤｖの積符号に係るＥＣＣブロックの構成例を示す図である。図５はＥＣＣブロックの１シンクブロックの構成例を示す図である。この例では、１フィールドのビデオデータＤｖは、各々の１２トラックに記録される。記録時および再生時には、１回のスキャンでは４個のヘッドによって４トラックが同時に走査され、従って、１２トラックは３回のスキャンで走査される。
【００４９】
１個のＥＣＣブロックは、以下のように構成されている。すなわち、図４に示す２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ：ＯＵＴＥＲ）が生成される。さらに、これらビデオデータおよびＣ２パリティに対して、図４において、矢印ａで示す内符号演算データ系列につき、各行のデータ（データ列）が例えば（２４２，２２６）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００５０】
図５に示す先頭の２バイトはシンクデータである。続く、２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。また、１２トラック毎に１セグメントが構成され、「０〜３」のセグメント番号が順次繰り返し付与されるが、上述の２バイトのＩＤには、当該１シンクブロックが記録されるセグメントのセグメント番号を示すセグメントＩＤも含まれる。また、このＩＤに、２２６バイトのビデオデータ（またはＣ２パリティ）および１６バイトのＣ１パリティが続く。
【００５１】
図６Ａ〜Ｃは、１セグメントを構成する１２トラック内のビデオデータ領域ＡＲＶＬ，ＡＲＶＵにおける各ＥＣＣブロックの１シンクブロックの配置例（その１）を示す図である。図６Ａに示すように、１回目にスキャンされる「０〜３」の４トラックに関しては、ビデオデータ領域ＡＲＶＬには「０〜３５」のＥＣＣブロックにおける０Ｒｏｗ〜２０Ｒｏｗまでの２１Ｒｏｗのシンクブロックが記録され、ビデオデータ領域ＡＲＶＵには「０〜３５」のＥＣＣブロックにおける２１Ｒｏｗ〜４１Ｒｏｗまでの２１Ｒｏｗのシンクブロックが記録される。
【００５２】
また、２回目にスキャンされる「４〜７」の４トラックに関しては、ビデオデータ領域ＡＲＶＬには「０〜３５」のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００５３】
さらに、３回目にスキャンされる「８〜１１」の４トラックに関しては、ビデオデータ領域ＡＲＶＬには「０〜３５」のＥＣＣブロックにおける８４Ｒｏｗ〜１０４Ｒｏｗまでの２１Ｒｏｗのシンクブロックが記録され、ビデオデータ領域ＡＲＶＵには「０〜３５」のＥＣＣブロックにおける１０５Ｒｏｗ〜１２５Ｒｏｗまでの２１Ｒｏｗのシンクブロックが記録される。
【００５４】
ここで、０Ｒｏｗのシンクブロックは、「０〜３５」のＥＣＣブロックのそれぞれにおける０番目のシンクブロックから構成されており、これら３６個のシンクブロックは、図６Ｂに示すように、「０〜４」のトラックに、９シンクブロックずつ振り分けられて記録される。つまり、「０」のトラックには「０，１８，１，１９，２，２０，３，２１，４」のＥＣＣブロックにおける０番目のシンクブロックが記録され、「１」のトラックには「２２，５，２３，６，２４，７，２５，８，２６」のＥＣＣブロックにおける０番目のシンクブロックが記録され、「２」のトラックには「９，２７，１０，２８，１１，２９，１２，３０，１３」のＥＣＣブロックにおける０番目のシンクブロックが記録され、さらに「３」のトラックには「３１，１４，３２，１５，３３，１６，３４，１７，３５」のＥＣＣブロックにおける０番目のシンクブロックが記録される。
【００５５】
以下、同様に、１〜１２５Ｒｏｗのシンクブロックは、それぞれ「０〜３５」のＥＣＣブロックにおける１番目〜１２５番目のシンクブロックから構成されており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図６Ｃに示すように、２バイトのシンクデータ、２バイトのＩＤ、２２６バイトのビデオデータ（またはＣ２パリティ）および１６バイトのＣ１パリティから構成されている。
【００５６】
ここで、「０〜１１」の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００５７】
図７は、１セグメントを構成する１２トラックのビデオデータ領域ＡＲＶＬ，ＡＲＶＵにおける各ＥＣＣブロックの１シンクブロックの配置例（その２）を示す図である。この実施形態においては、１２トラックに「０〜３５」の３６個のＥＣＣブロックを記録する際に、図７に示すように、最初は内符号演算データ系列を構成するビデオデータのデータ列にＣ１パリティが付加されてなる第１のシンクブロックが順次記録され、この第１のシンクブロックの記録が終了した後に、内符号演算データ系列を構成するＣ２パリティのデータ列にＣ１パリティが付加されてなる第２のシンクブロックが順次記録される。
【００５８】
図８はＣ２訂正回路８２の内部構成例を示すブロック図である。図８に示すＣ２訂正回路８２は、ＳＤＲＡＭ４１と、このＳＤＲＡＭ４１に対する書き込みおよび読み出しを行うためのインタフェースであるＳＤＲＡＭインタフェース４２とを有している。ＳＤＲＡＭ４１は、複数フィールドのビデオデータ＋オーディオデータを記憶し得る容量を持っている。この場合、ＳＤＲＡＭ４１には、各フィールドについて、３６個のＥＣＣブロック（図４参照）に対応したメモリ空間が用意されている。
【００５９】
このＳＤＲＡＭインタフェース４２には、入力書き込みバッファ４３が接続され、図示しないＣ１訂正回路から供給される再生ビデオデータ（圧縮符号化データ）＋再生オーディオデータＶＤｃをＳＤＲＡＭ４１に書き込むためのバッファとなされる。Ｃ１訂正回路から出力される再生ビデオデータ＋再生オーディオデータＶＤｃは、クロック周波数＝１１２ＭＨｚに基づくものである。
【００６０】
ＳＤＲＡＭインタフェース４２には、ビデオ用のＣ２読み出しバッファ４４が接続され、ＳＤＲＡＭ４１から読み出される３６個のＥＣＣブロックに対応した再生ビデオデータＤｖを後述するビデオ用のＣ２訂正器４５に供給するためのバッファとなされる。この際の読出しクロック信号の周波数は５６ＭＨｚである。このクロック信号に基づいてＣ２訂正処理がなされる。
【００６１】
このＣ２読み出しバッファ４４には、Ｃ２訂正器４５が接続され、各フィールドについて、３６個のＥＣＣブロックにおけるＣ２パリティ（外符号パリティ）を演算するようになされる。Ｃ２訂正器４５は、Ｃ２パリティを演算する演算器を３６個有しており、上述した３６個のＥＣＣブロックにおけるＣ２パリティを並行して演算できるようになされる。そのため、Ｃ２読み出しバッファ４４からＣ２訂正器４５には、３６個のＥＣＣブロックに対応したビデオデータが並行して供給される。またその場合、各ＥＣＣブロックのビデオデータは、「０〜１１３」のシンクブロックのデータの順に供給される。
【００６２】
また、Ｃ２訂正器４５にはＣ２書き込みバッファ４６が接続され、各フィールドについて、Ｃ２訂正器４５で演算された３６個のＥＣＣブロックにおけるＣ２パリティをＳＤＲＡＭ４１に書き込むためのバッファとなされる。さらに、ＳＤＲＡＭインタフェース４２にはビデオ用の出力バッファ４１０が接続され、各フィールドについて、ＳＤＲＡＭ４１から読み出される、３６個のＥＣＣブロックに対応したビデオデータおよびＣ２パリティを出力するためのバッファとなされる。Ｃ２訂正後のビデオデータ（ビデオＣ２訂正器出力）Ｄｖはビデオ伸長回路９１へ出力される。
【００６３】
上述のＳＤＲＡＭインタフェース４２にはオーディオ用のＣ２読み出しバッファ４７が接続され、各フィールドについて、ＳＤＲＡＭ４１から読み出される、２４個のＥＣＣブロックに対応したオーディオデータＤａおよびＣ２パリティを出力するためのバッファとなされる。
【００６４】
また、オーディオ用のＣ２読み出しバッファ４７には、オーディオＣ２訂正器４８が接続され、各フィールドについて、２４個のＥＣＣブロックにおけるＣ２パリティ（外符号パリティ）を演算するようになされる。Ｃ２訂正器４８には出力バッファ４９が接続され、各フィールドについて、２４個のＥＣＣブロックに対応したオーディオデータＤａおよびＣ２パリティを出力するためのバッファとなされる。Ｃ２訂正後のオーディオデータ（オーディオＣ２訂正器出力）は再生オーディオ信号ＡＳｏｕｔとなって出力端子１８へ出力される。
【００６５】
続いて、本発明に係る情報再生方法について、当該ＶＴＲ１００の動作例を説明する。図９Ａ及びＢはクロック載せ換え器９０における動作例を示すタイムチャートである。
【００６６】
図９Ａは従来方式の１倍のクロック信号のままＣ１訂正処理に移行する場合である。この例で磁気テープ８０の記録フォーマットにおいて、第１のシンク長のビデオデータ（ビデオシンク）と、第２のシンク長のオーディオデータ（オーディオシンク）との間にギャップＧが設けられ、かつ、当該ビデオデータＤｖのシンク長よりもオーディオデータＤａのシンク長が短い場合である。
【００６７】
図９Ｂは本発明方式の２倍のクロック信号に載せ換えてＣ１訂正処理に移行する場合である。この例では、オーディオデータＤｖのシンク長をＮとし、周波数変換前のクロック周波数における第１のシンク長のビデオデータＤｖと第２のシンク長のオーディオデータＤａとの間のギャップをＧとし、周波数変換後のクロック周波数における第１のシンク長のビデオデータＤｖと第２のシンク長のオーディオデータＤａとの間のギャップをＧ’としたとき、（１）式、すなわち、
Ｇ’＝ｎ・Ｇ＋（ｎ−１）・Ｎ  ・・・・・・（１）
により与えられる。
【００６８】
これを前提にして、ＶＴＲ１００における再生時の動作例を説明する。まず、ヘリカル再生ヘッド５５は、所定のクロック周波数の信号に基づいて磁気テープ８０の記録トラックから第１のシンク長の再生ビデオデータ＋第２のシンク長のオーディオデータＶＤｃを順次読み取るようになされる。
【００６９】
この再生ビデオデータ＋オーディオデータＶＤｃは、順次、ヘリカル再生ヘッド５５から信号処理手段５へ出力される。信号処理手段５では例えば、等化復号器５６によって、第１のシンク長のビデオデータ＋第２のシンク長のオーディオデータ（再生データ）ＶＤｃが、図示しない再生アンプにより増幅される。その後、再生データＶＤｃは波形等化回路で波形等化される。更に、復号回路では波形等化後の再生信号に対して、例えばビタビアルゴリズムを利用した復号化の処理が行われ、上述した記録系のパリティ付加回路２１から出力される記録ビデオデータＶＤｂに対応した再生データＶＤｃが得られる。
【００７０】
この再生データＶＤｃは等化復号器５６からシンク検出器５７へ出力される。シンク検出器５７では同期信号が検出される。同期信号が検出された再生データＶＤｃは、シンク検出器５７からクロック載せ換え器９０へ出力される。
【００７１】
クロック載せ換え器９０では再生データＶＤｃのクロック周波数をｎ倍に変換するようになされる。このとき、クロック載せ換え器９０によって、再生データＶＤｃがより高い周波数のクロック信号に載せ換えられる。例えば、再生データがｎ＝２倍の周波数のクロック信号に載せ換えられる。このように、クロック信号を２倍に載せかえることで、ビデオシンク（Ｍ）とオーディオシンク（Ｎ）の間のギャップＧ’は等価的に、（１）式から、すなわち、
Ｇ’＝２・Ｇ＋Ｎ
となる。
【００７２】
このクロック載せ換え後の再生データＶＤｃは、クロック載せ換え器９０から訂正処理手段８へ出力される。この誤り訂正処理の際に、（１）式に示したように、ビデオシンク（Ｍ）とオーディオシンク（Ｎ）との間のギャップＧ’を等価的に長くすることができる。訂正処理手段８では例えば、Ｃ１訂正回路８１では当該フレームのビデオデータ＋オーディオデータＶＤｃに付加されているＣ１パリティを用いてエラー訂正が行われる。
【００７３】
このとき、従来方式のように１倍のクロック信号のままＣ１訂正処理をする場合に比較して、図９Ｂに示すギャップＧ’によって信号処理間のスペースを長く設定できることになる。仮に、オーディオシンク（Ｎ）がＣ１訂正処理を行う際に必要なビデオシンク（Ｍ）−オーディオシンク（Ｎ）間の信号処理スペースより長ければ、ギャップＧはゼロであってもかまわないことになる。
【００７４】
更に、Ｃ２訂正回路８２では、当該フレームのビデオデータ＋オーディオデータＶＤｃに付加されているＣ２パリティを用いてエラー訂正が行われる。エラー訂正後の圧縮符号化データにはビデオデータＤｖ及びオーディオデータＤａが含まれ、オーディオデータＤａは再生オーディオ信号ＡＳｏｕｔとなる。再生オーディオ信号ＡＳｏｕｔはオーディオ出力端子１８に出力される。
【００７５】
このビデオデータＤｖはＣ２訂正回路８２からビデオ伸長回路９１へ出力される。ビデオ伸長回路９１では、Ｃ２訂正回路８２より出力されるエラー訂正後のビデオデータ（圧縮符号化データ）Ｄｖが記録系のビデオ圧縮回路１１とは逆の処理によってデータ伸長が行われる。そして、このビデオ伸長回路９１より出力される再生ビデオ信号ＶＳｏｕｔは出力端子１９に出力される。なお、図示しないが磁気テープ８０の記録トラックのサーボパイロットからサーボ制御信号（ＣＴＬ信号）が再生される。このＣＴＬ信号に基づいてキャプスタンドラムを駆動するようになされる。
【００７６】
このように、本発明に係る実施形態としてのＶＴＲ１００及び情報再生方法によれば、２種類のシンク長が存在する記録フォーマットを有した磁気テープ８０から再生データ（デジタル情報）ＶＤｃを再生する場合に、Ｃ１訂正処理前に、再生データＶＤｃをより高い周波数（例えば２倍の周波数）のクロック信号に載せ換えているので、ビデオシンク（Ｍ）とオーディオシンク（Ｎ）の間のギャップＧ’を等価的に長くすることができる。
【００７７】
従って、磁気テープ８０の記録フォーマット（フットプリント）において、実際には短いギャップＧであっても、クロック信号を載せ換えた結果、Ｃ１訂正処理を行う際に必要なＭ−Ｎ間の信号処理スペースを確保することができる。これにより、第１のシンク長のビデオデータの誤り訂正処理が終了する前に、第２のシンク長のオーディオデータの誤り訂正処理が開始される事態を防止できる。
【００７８】
【発明の効果】
以上説明したように、本発明に係る情報再生装置及び情報再生方法によれば、２種類の情報記録長が存在する記録フォーマットを有した情報記録媒体からデジタル情報を再生する場合に信号変換手段を備え、この信号変換手段は情報記録媒体から順次読み取られた第１及び第２の情報記録長のデジタル情報のクロック周波数をｎ倍に変換するものである。
【００７９】
この構成によって、第１の情報記録長のデジタル情報と第２の情報記録長のデジタル情報との間のギャップを等価的に長くすることができ、情報記録媒体の記録フォーマットにおいて、実際には短いギャップであっても、Ｃ１訂正処理等の誤り訂正処理をする際に必要な第１の情報記録長のデジタル情報と第２の情報記録長のデジタル情報との間の信号処理スペースを十分に確保することができる。これにより、第１の情報記録長のデジタル情報の誤り訂正処理が終了する前に、第２の情報記録長のデジタル情報の誤り訂正処理が開始されて情報処理が混入する事態を防止できる。
【００８０】
この発明は、テープ記録媒体からデジタル情報を再生する家庭用及び業務用のビデオ記録再生装置に適用して極めて好適である。
【図面の簡単な説明】
【図１】本発明に係る実施形態としての情報再生装置を応用したＶＴＲ１００の構成例を示すブロック図である。
【図２】図１に示したＶＴＲ１００に係る回転ドラム１４０の構成例を示す概念図である。
【図３】磁気テープ８０における記録フォーマット例を示す図である。
【図４】ビデオデータＤｖの積符号に係るＥＣＣブロックの構成例を示す図である。
【図５】ＥＣＣブロックの１シンクブロックの構成例を示す図である。
【図６】Ａ〜Ｃは、１セグメントを構成する１２トラック内のビデオデータ領域ＡＲＶＬ，ＡＲＶＵにおける各ＥＣＣブロックの１シンクブロックの配置例（その１）を示す図である。
【図７】１セグメントを構成する１２トラックのビデオデータ領域ＡＲＶＬ，ＡＲＶＵにおける各ＥＣＣブロックの１シンクブロックの配置例（その２）を示す図である。
【図８】Ｃ２訂正回路８２の内部構成例を示すブロック図である。
【図９】Ａ及びＢはクロック載せ換え器９０における動作例を示すタイムチャートである。
【図１０】従来例に係るビデオシンク（Ｍ）及びオーディオシンク（Ｎ）混在のＶＴＲフットプリント例を示す図である。
【図１１】Ａ及びＢはビデオデータ及びオーディオデータの積符号に係るＥＣＣブロックの１シンクブロックの構成例を示す図である。
【図１２】Ａ及びＢはＣ１訂正回路のＭＮ切換え例を示すタイミングチャートである。
【符号の説明】
５・・・信号処理手段、８・・・訂正処理手段、１１・・・ビデオ圧縮回路、２１・・・パリティ付加回路、５０・・・ヘリカル記録ヘッド、５５・・・ヘリカル再生ヘッド、５６・・・等化復号回路、５７・・・シンク検出器、８１・・・Ｃ１訂正回路、８２・・・Ｃ２訂正回路、９０・・・クロック載せ換え器、９１・・・ビデオ伸長回路、１００・・・ＶＴＲ（情報再生装置）
【図１】
2004310861.tif 000003
【図２】
2004310861.tif 000004
【図３】
2004310861.tif 000005
【図４】
2004310861.tif 000006
【図５】
2004310861.tif 000007
【図６】
2004310861.tif 000008
【図７】
2004310861.tif 000009
【図８】
2004310861.tif 000010
【図９】
2004310861.tif 000011
【図１０】
2004310861.tif 000012
【図１１】
2004310861.tif 000013
【図１２】
2004310861.tif 000014